(57)【要約】【課題】  換気用の送風機を内蔵しても著しくは大型化しないように、また、製造コストの大幅な増加を招くことのない空気調和機の室内機を提供する。【解決手段】  熱交換器５の前面部分に着脱可能に装着した樹脂製のフレーム部材１１を換気用室内送風機１２のファンケース１２Ａの後ケースと一体に成型して、換気用室内送風機１２をフレーム部材１１に組み付けると共に、フレーム部材１１に紫外線ランプ、フィルタなどを内蔵した滅菌ボックス１３Ａ、空気中の二酸化炭素濃度を計測する手段を内蔵した空気汚染検出ボックス１３Ｂ、空気の温度と湿度を計測する温湿度計測手段１３Ｃなどの機能部材を、嵌め込み・螺子止めなどの適宜の手段により取付けて、本体ケース４に内蔵するようにした。【選択図】  図３
2005233556.tif 000002
【特許請求の範囲】
【請求項１】
室外機から供給された冷媒が室内空気と熱交換しながら流れる熱交換器を備えると共に、室内空気を室外に排出する換気ファンが内蔵された空気調和機の室内機において、換気用ファンケースの一部が他の機能部材と一体に形成されて室内機の本体ケースに内蔵されたことを特徴とする空気調和機の室内機。
【請求項２】
換気用ファンケースの一部が熱交換器に添設される部品取付部材と一体に形成されて室内機の本体ケースに内蔵されたことを特徴とする請求項１記載の空気調和機の室内機。
【請求項３】
部品取付部材が複数の通風部と複数の脚部を備えたフレーム部材から構成されたことを特徴とする請求項１または２記載の空気調和機の室内機。
【請求項４】
部品取付部材に空気清浄化手段が取付けられたことを特徴とする請求項１〜３何れかに記載の空気調和機の室内機。
【発明の詳細な説明】
【技術分野】
【０００１】
本発明は換気ファンが内蔵された空気調和機の室内機に関する。
【背景技術】
【０００２】
この種の空気調和機の室内機としては、例えば図５に示したように室内機１Ｘに換気用の送風機２５を設け、ファン２６の正逆転切替えにより、１本の換気管２７を介して室内空気の排気と、外気の取り込みを行うことで、室内の換気を行うように構成した室内機が周知である（例えば、特許文献１参照。）。なお、図中２８と２９とは給排気口である。
【０００３】
上記構成の室内機によれば、室内が所望の温度に調節可能であると共に、室内の換気も可能であるので、定期的に窓などを開けて換気をする必要がないと云った特長がある。
【特許文献１】特開２０００−１９３２６９号公報
【発明の開示】
【発明が解決しようとする課題】
【０００４】
しかし、特許文献１に提案された空気調和機の室内機においては、送風機が組み込まれるため室内機全体が著しく大型化する。また、部品点数が増加するために、材料費の増加ならびに組立工数の増加による製造コストが大幅に増加する、と云った欠点もあった。
【０００５】
さらに、換気用の送風機が熱交換器の側方に設置されているため、換気のために室外から吸い込んだ空気が熱交換器を流れる冷媒と熱交換して室内に吐出するためには、室外空気を熱交換器の前まで案内するダクトを設ける必要があると云った問題点もあった。
【０００６】
したがって、送風機を内蔵しても室内機全体としては著しくは大型化しないようにし、且つ、部品点数の増加を極力抑えて材料費の増加ならびに組立工数の増加による製造コストの大幅な増加を招かないようにする必要があり、さらには換気のために室外から吸い込んだ空気と熱交換器を流れる冷媒との熱交換が簡単にできるようにする必要もあり、それらが解決すべき課題となっていた。
【課題を解決するための手段】
【０００７】
本発明は上記従来技術の課題を解決するため、室外機から供給された冷媒が室内空気と熱交換しながら流れる熱交換器を備えると共に、室内空気を室外に排出する換気ファンが内蔵された空気調和機の室内機において、換気用ファンケースの一部が他の機能部材と一体に形成されて室内機の本体ケースに内蔵されることを主要な特徴とするものである。
【発明の効果】
【０００８】
本発明によれば、換気ファンのケースの一部が他の機能部材と一体に形成されているので、部品点数の増加と組立工数の増加を抑えることが可能である。また、部材間の無駄な空間が増加しないので、室内機全体が著しく大型化することはない。
【発明を実施するための最良の形態】
【０００９】
換気用ファンケースの一部を複数の通風部と複数の脚部を備えたフレーム部材からなる部品取付部材と一体に成型し、その部品取付部材を熱交換器の前面部分に添設して室内機の本体ケースに内蔵した空気調和機の室内機。
【実施例１】
【００１０】
本発明の一実施例を図１〜図４に基づいて説明する。室外に設置される図示しない室外機とで分離型の空気調和機を構成する本発明の室内機１は、室外機と冷媒管１８を介して接続されて冷媒が室外機と室内機１とを循環するように設けられる。
【００１１】
室内機１は、背面側の後ケース２と、前面と上面に室内空気の吸込口３Ａが開設されて後ケース２の前側に着脱可能に設けられた前ケース３とからなる本体ケース４を備え、その本体ケース４の下部側には空気の吹出口４Ａが設けられると共に、本体ケース４内には室内の空気を加熱／冷却する熱交換器５が設置されている。
【００１２】
熱交換器５は、放熱フィンを貫通して蛇行して配管された伝熱管６の内部を冷媒が通過する際に管外の空気と熱交換することにより、冷房／除湿運転時に冷却器として機能し、暖房運転時には加熱器として機能するものである。
【００１３】
また、本体ケース４の内部には、熱交換器５で取り囲まれるように送風ファン７が設けられ、この送風ファン７により室内の空気が前ケース３の前面と上面の吸込口３Ａから吸い込まれ、熱交換器５で伝熱管６内を流れる冷媒と熱交換して加熱／冷却され、冷風／温風となって本体ケース４の吹出口４Ａから室内に吹き出して循環する。
【００１４】
また、熱交換器５の下側には、熱交換器５で結露して滴下するドレン水を溜めて排出するためのドレンパン８が設けられ、前ケース３と熱交換器５との間にはエアフィルタ９（図１では省略）が設けられ、本体ケース４下部の吹出口４Ａには風向変更器（図示せず）が設けられて、吹き出す空気の向きが自在に設定できるように構成されている。
【００１５】
また、図示しない室外機に備えられている圧縮機の運転、送風ファン７を駆動する図示しないファンモータの運転などを制御するための電装部１０が、本体ケース５の片側部に区画して内蔵されている。
【００１６】
１２は、室内空気を室外（屋外）に排気して室内機１が設置されている室内を換気するための換気用室内送風機であり、熱交換器５の前方に設置されている。具体的には、熱交換器５の前面部分に着脱可能に装着された、熱伝導率がアルミニウムや鉄などの金属より格段に小さい樹脂製のフレーム部材１１の上に載せて取り付けられている。
【００１７】
この換気用室内送風機１２と換気管１９を介して連結される換気用室外送風機１５は、室外に設置されている。具体的には、室内機１が取り付けられている家屋の外壁（図示せず）の外面に換気用室外送風機１５は設置される。例えば、換気管１９の一端に換気用室外送風機１５の吹出口１５Ｃが接続されて、換気用室外送風機１５が垂設されている。
【００１８】
換気用室内送風機１２と換気用室外送風機１５は、厚みの薄い略円筒形状のファンケース内にモータとシロッコファンとが収容された構造のもが使用できる。この構造の送風機は薄く作ることが可能であるので、小型化が要求される室内機１に収容することが容易であるし、屋外に設ける場合は目立たないので、美観上好ましいものとすることができる。
【００１９】
樹脂製のフレーム部材１１は、図２に例示したように複数の通風部１１Ａと複数の脚部１１Bとを備えている。また、フレーム部材１１は、換気用室内送風機１２のファンケース１２Aの後ケースとなる後ケース形成部１１Ｃを備えて一体成型されている。
【００２０】
なお、フレーム部材１１には螺子穴１１Dが開設された取付片１１Eが設けられ、螺子穴１１Dに挿し通した図示しない螺子の雄螺子部を本体ケース４に設けた図示しない螺子穴に螺合することで、フレーム部材１１は熱交換器５に着脱自在に添設される。
【００２１】
そして、特定の通風部１１Aには、必要に応じて所定の機能部材、例えば空気清浄化手段として機能する紫外線ランプ、フィルタなどを内蔵した滅菌ボックス１３Ａ、空気中の二酸化炭素濃度を計測する手段を内蔵した空気汚染検出ボックス１３Ｂ、空気の温度と湿度を計測する温湿度計測手段１３Ｃなどが、嵌め込み・螺子止めなどの適宜の手段により取付けられる。なお、滅菌ボックス１３Ａと空気汚染検出ボックス１３Ｂには、それぞれ所要の部位に複数の通気孔が開設されている。
【００２２】
また、フレーム部材１１に滅菌ボックス１３Ａを取付けたときには、その滅菌ボックス１３Ａの側に開口部１６Ａを有する送風機カバー１６により換気用室内送風機１２の吸込口１２Ｂの前方を覆い、吸込口１２Ｂからファンケース１２Aに吸い込まれる空気が送風機カバー１６の開口部１６Aから入って来るようにする。
【００２３】
そして、換気用室内送風機１２の吹出口１２Ｃと換気用室外送風機１５の吹出口１５Ｃとが換気管１９により連結されているので、換気用室内送風機１２を起動してファンケース１２Ａに吸込口１２Ｂから空気を吸込んで吸込口１２Ｂの外方に負圧が生じると、室内機１が設置されている室内の空気が前ケース３の吸込口３Aから室内機１に入り、さらに通気孔を通って滅菌ボックス１３Ａに入る。
【００２４】
滅菌ボックス１３Ａに入った室内空気はさらに開口部１６Aから送風機カバー１６内に入り、吸込口１２Ｂからファンケース１２Aに入り、換気管１９を経由して換気用室外送風機１５に至り、ファンケース１５Ａの片面に開設された円形の吸込口１５Ｂより吹き出る。すなわち、換気用室内送風機１２を運転することにより、室内機１が設置されている室内の汚れた空気を室外に排出して室内を換気することができる。
【００２５】
一方、換気用室外送風機１５を運転して外気が吸込口１５Ｂから吸い込まれると、その外気は換気管１９を経由して換気用室内送風機１２の吸込口１２Ｂから吹き出し、その後送風機カバー１６に案内されて開口部１６Ａから滅菌ボックス１３Ａに入り、そこで紫外線の照射を受けて滅菌処理されて滅菌ボックス１３Ａから吹き出す。
【００２６】
そして、送風ファン７が運転中であれば熱交換器６の側に室内空気と共に吸い込まれ、伝熱管７内を流れる冷媒と熱交換して加熱／冷却されて下部の吹出口４Ａから室内空気と共に室内に吹き出る。すなわち、換気用室外送風機１５を運転することにより、室内機１が設置されている室内に新鮮な外気を取り込んで室内を換気することができる。
【００２７】
したがって、本発明の室内機１においては換気用室内送風機１２、換気用室外送風機１５の何れを運転しても、室内機１が設置されている室内の換気を行うことができる。
【００２８】
そして、フレーム部材１１はその脚部１１Ｂにより熱交換器５の上に載置されているので、フレーム部材１１に取付けられた換気用室内送風機１２、滅菌ボックス１３Ａ、空気汚染検出ボックス１３Ｂなどと熱交換器５とは、所定の間隙だけ離間する。したがって、送風ファン７の回転により前ケース３の吸込口３Aから吸込んだ室内空気と熱交換器５の伝熱管７内を流れる冷媒との熱交換では、高い熱交換効率が確保される。
【００２９】
しかも、フレーム部材１１の一部は換気用室内送風機１２のファンケース１２Ａの後ケース１１Ｃとなり、部材同士の間に無駄な空間がない構成となっているので、特許文献１に記載の室内機１Ｘほど全体が著しく大型化することはない。
【００３０】
また、機能部材の部品点数の増加が抑えられているだけでなく、螺子などの取付け部材数の増加も抑えられているので、部品点数と組立工数の増加による製造コストの増加も僅かなものに抑えられている。
【００３１】
また、換気用室内送風機１２が熱交換器５の前方に配置されているため、換気用室外送風機１５を運転して換気管１９・換気用室内送風機１２・送風機カバー１６・滅菌ボックス１３Ａを経由して取り込んだ新鮮な外気は、送風ファン７が運転中であれば熱交換器６の側に室内空気と共に吸い込まれ、伝熱管７内を流れる冷媒と熱交換して加熱／冷却されて下部の吹出口４Ａから室内空気と共に室内に吹き出る。すなわち、屋外から取り込んだ新鮮な外気を温度調節し、その外気を室内に供給して室内を換気することができる。
【００３２】
さらに、換気用室内送風機１２、滅菌ボックス１３Ａ、空気汚染検出ボックス１３Ｂ、温湿度計測手段１３Cなどの機能部材は、フレーム部材１１を介して本体ケース４に収納するので、フレーム部材１１の形状と取付け方を上記実施例に示したように工夫することにより、前記機能部材の装着が極めて簡単に行える。
【００３３】
なお、屋外の冷媒管１８は、矩形状の箱型に形成された冷媒管カバー１７により被覆されて保護されている。そして、この冷媒管カバー１７を利用して、換気用室外送風機１５もこの冷媒管カバー１７内に収容されている。
【００３４】
また、冷媒管カバー１７の前面部には、換気用室外送風機１５の吸込口１５Ｂに対応するスリット構造やフィルタ構造の吸込口１７Ａが形成され、塵埃などの異物を多量に吸い込まないようにフィルタの役目をしている。
【００３５】
これにより、換気用室外送風機１５が風雨や塵埃から保護され、また悪戯などで損傷することもないし、換気用室外送風機１５が冷媒管カバー１７で隠され露顕しないので、美観的にも優れたものとなる。
【００３６】
なお、本発明は上記実施形態に限定されるものではないので、特許請求の範囲に記載の趣旨から逸脱しない範囲で各種の変形実施が可能である。
【００３７】
例えば、換気用室内送風機１２と換気用室外送風機１５とを設ける代わりに、正転／逆転の切替が可能な一つの換気用ファンを換気管１９に設けるようにしても良いし、室内空気を排気するための排気管と、室外空気を室内に取り込むための給気管とを別々に設け、排気と給気とを同時に行なう換気が可能にすることも可能である。
【図面の簡単な説明】
【００３８】
【図１】本発明の室内機を換気用室外送風機と共に示す説明図である。
【図２】本発明の室内機に用いるフレーム部材を示す説明図であり、（Ａ）は機能部材が取付けられた状態を示す説明図、（Ｂ）は機能部材が取外された状態を示す説明図である。
【図３】本発明の室内機を示す説明図であり、（Ａ）は送風機カバーとファンケースとを外した状態の説明図であり、（Ｂ）は送風機カバーとファンケースとを装着した状態の説明図である。
【図４】本発明の室内機の断面を示す説明図である。
【図５】従来技術を示す説明図である。
【符号の説明】
【００３９】
１  室内機
２  後ケース
３  前ケース
３Ａ  吸込口
４  本体ケース
４Ａ  吹出口
５  熱交換器
６  伝熱管
７  送風ファン
８  ドレンパン
９  エアフィルタ
１０  電装部
１１  フレーム部材
１１Ａ  通風部
１１Ｂ  脚部
１１Ｃ  後ケース形成部
１１Ｄ  螺子穴
１１Ｅ  取付片
１２  換気用室内送風機
１２Ａ  ファンケース
１２Ｂ  吸込口
１２Ｃ  吹出口
１３Ａ  滅菌ボックス
１３Ｂ  空気汚染検出ボックス
１３Ｃ  温湿度計測手段
１５  換気用室外送風機
１５Ａ  ファンケース
１５Ｂ  吸込口
１５Ｂ  吹出口
１６  送風機カバー
１６Ａ  開口部
１７  冷媒管カバー
１７Ａ  吸込口
１８  冷媒管
１９  換気管
２５  送風機
２６  ファン
２７  換気管
２８、２９  給排気口
【図１】
2005233556.tif 000003
【図２】
2005233556.tif 000004
【図３】
2005233556.tif 000005
【図４】
2005233556.tif 000006
【図５】
2005233556.tif 000007